(57)【要約】【課題】新聞紙や雑誌等の古紙その他の被結束物を重ねて結束する作業を煩雑でなく、極めて容易とし、しかも結束する紐の緩みを解消し、被結束物を確実に結束することを目的とする。【解決手段】結束台１に側壁４を設け、結束台１は台部２と適宜数の上端部が凸状の曲面に形成された支持突起３を備え、側壁４は結束台１の対向する一対の角隅１２から結束台１の端縁に沿って横断面Ｌ字状に形成し、側壁４の角部４０には切欠部４１を設けた被結束物収納容器１０。【選択図】  図１
2007161334.tif 000002
【特許請求の範囲】
【請求項１】
結束台に側壁を設けると共に、該側壁の角部に切欠部を設けたことを特徴とする被結束物収納容器。
【請求項２】
結束台に、結束台の少なくとも角隅部を除いた端縁から側壁を立設したことを特徴とする被結束物収納容器。
【請求項３】
結束台は横断面方形に形成し、側壁は結束台の対向する一対の角隅から結束台の端縁に沿って横断面Ｌ字状に形成したことを特徴とする請求項１記載の被結束物収納容器。
【請求項４】
結束台に被結束物を結束する紐を通す空間を備えることを特徴とする請求項１から３のうちいずれか記載の被結束物収納容器。
【請求項５】
側壁の側端部又は／及び上端部を外方へ曲折したことを特徴とする請求項１から４のうちいずれか記載の被結束物収納容器。
【請求項６】
側壁の内側面を横断面が凸状の曲面に形成したことを特徴とする請求項１から５のうちいずれか記載の被結束物収納容器。
【請求項７】
結束台は台部と支持突起を備え、平面四角形状の台部の上面を台部の対向する側辺の中心を結ぶ二本の線により四区画に区分し、該二本の線の交点を中心として対向する方形の二区画内に、上端部が凸状の曲面に形成された支持突起を少なくとも台部の角隅部に１本づつ立設させ、他の二区画内に夫々該支持突起、支持台又は上面平面状の支持突起を設けると共に、当該他の二区画の外周端に側壁を立設させたことを特徴とする請求項１から６のうちいずれか記載の被結束物収納容器。
【発明の詳細な説明】
【技術分野】
【０００１】
本願発明は被結束物収納容器に関し、詳しくは、新聞、雑誌等の被結束物を収納したまま容易に結束可能な収納容器に関する。
【背景技術】
【０００２】
従来から新聞や雑誌等の古紙は適宜折畳まれて収納容器や収納袋等に重ねて収納されており、結束する際には収納容器から取出し、或いは収納袋と共に結束していた。この結束作業は、例えば床に紐を敷き、その上に重ねた古紙を置き、紐を古紙に巻き、古紙の束を倒し、或いはひっくり返して紐を十字がけにして結んで行っていた。
【０００３】
しかし、収納容器からの取出し作業は容易ではなく、又、古紙の束を崩れないように倒し、或いはひっくり返すのも容易ではなく、この作業は煩雑であった。更に、紐に緩みなく結ぶにはかなりの力を必要とし、非力な人が結束作業を行うと、紐が緩み、被結束物がバラけてしまうことがあった。
【０００４】
そこで、結束する古新聞その他の被結束物を収納したまま結束可能とする被結束物の収納容器が提案されている。このような収納容器として、底面台の面上に十文字上に交差する、紐を通すためのガイド（空間）を設けると共に、該ガイドの上方部を避けて底面台に直立する側板を設けた新聞ストッカーがある（特許文献１参照。）。
【０００５】
又、二重の底板と四隅に設けられた枠とで構成される升状のテーブルで、上底板と下底板との間に手の入る空間を確保し、上底板及び枠板は縦横十文字の溝と縦横の貫通穴より四分割し下底板で繋がっているテーブルがある（特許文献２参照。）。
【０００６】
しかし、これらの従来技術は、被結束物を容器から出さずに紐で十文字にクロスして結束することは出来るが、結束する際に紐が緩むことを防止することが出来ず、非力な人が結束作業を行うと、紐が緩み、被結束物が確実に結束されないという欠点があった。
【０００７】
又、紐を被結束物の下を二回通す必要があり、しかもその紐を通す作業は容易ではないために、その作業が煩雑であった。
【０００８】
【特許文献１】特開２００３−１６０１０５号公報
【特許文献２】特開２００２−２８４１２２号公報
【発明の開示】
【発明が解決しようとする課題】
【０００９】
そこで、本願発明は上記課題を解決し、新聞紙や雑誌等の古紙その他の被結束物を重ねて結束する作業を煩雑でなく、極めて容易とし、しかも結束する紐の緩みを解消し、被結束物を確実に結束することを目的とする。
【課題を解決するための手段】
【００１０】
上記課題を解決するための手段としての本願発明は、結束台に側壁を設けると共に、該側壁の角部に切欠部を設けたことを特徴とする被結束物収納容器である。又、結束台に、結束台の少なくとも角隅部を除いた端縁から側壁を立設したことを特徴とする被結束物収納容器である。
【００１１】
このような構成により、紐を被結束物の側面に渡すことが容易に可能となり、側面に渡した紐を締め付けることで、被結束物を結束する十文字にクロスされた４本の縦方向の紐を被結束物の内側へ引張り、紐の緩みを解消することが可能となっている。
【００１２】
又、上記被結束物収納容器において、結束台は横断面方形に形成し、側壁は結束台の対向する一対の角隅から結束台の端縁に沿って横断面Ｌ字状に形成したことを特徴とする被結束物収納容器である。このような構成により、紐を被結束物の側面で結ぶことが容易となっている。
【００１３】
又、上記被結束物収納容器において、結束台に被結束物を結束する紐を通す空間を備えることを特徴とする被結束物収納容器である。このような構成により、被結束物を持ち上げることなく容易に紐を被結束物の下に通すことが可能であり、被結束物を結束する作業が煩雑でなく、容易となっている。
【００１４】
又、上記被結束物収納容器において、側壁の側端部又は／及び上端部を外方へ曲折したことを特徴とする被結束物収納容器である。又、上記被結束物収納容器において、側壁の内側面を横断面が凸状の曲面に形成したことを特徴とする被結束物収納容器である。このような構成により、被結束物を容器に入れやすくすると共に、紐を被結束物の側面に渡すことがより容易となっている。
【００１５】
又、上記被結束物収納容器において、結束台は台部と支持突起を備え、平面四角形状の台部の上面を台部の対向する側辺の中心を結ぶ二本の線により四区画に区分し、該二本の線の交点を中心として対向する方形の二区画内に、上端部が凸状の曲面に形成された支持突起を少なくとも台部の角隅部に１本づつ立設させ、他の二区画内に夫々該支持突起、支持台又は上面平面状の支持突起を設けると共に、当該他の二区画の外周端に側壁を立設させたことを特徴とする被結束物収納容器である。
【００１６】
このような構成により、支持突起は上端部が凸状の曲面であるので、被結束物との接面積が極めてせまいので、被結束物を持ち上げることなく極めて容易に紐を被結束物と支持突起の間を摺接移動させることが可能であり、紐を被結束物の下を二回通す必要がなく、紐を被結束物の下に通すという極めて煩雑かつ困難な作業を１回のみ行えばよく、しかも容易に行えるので、被結束物を重ねて結束する作業が煩雑でなく、極めて容易となっている。
【発明の効果】
【００１７】
以上のような本願発明によれば、被結束物を重ねて結束する作業を煩雑でなく、極めて容易とし、しかも結束する紐の緩みを解消し、被結束物を確実に結束することが可能となった。
【発明を実施するための最良の形態】
【００１８】
以下本発明を図に従って詳細に説明する。新聞紙や雑誌等の古紙その他の被結束物９を収納したまま容易且、紐７の緩みなく確実に結束可能な被結束物収納容器１０（以下単に「収納容器１０」ということがある。）は結束台１と側壁４，４を備えて構成され、結束台１は台部２と支持突起３，３…を備えて構成されている。
【００１９】
台部２は平面四角形状の平板を用い、該台部２上面２１上に同じ高さの支持突起３，３…が設けられ、収納容器１０に収納された被結束物９は支持突起３，３…により下方から支持される。このような構成により被結束物９の下に紐７を通す空間が設けられる。台部２上面２１を台部２の対向する側辺の中心を結ぶ想像上の二本の線５１，５２により四区画２２，２３，２４，２５に区分する。後述するように二区画２２，２４では紐７がその面上で移動し、二区画２３，２５では紐７がその面上で移動しない。台部２は円形等の形状としてもよく、この場合円の中心で直角に交叉する線で四区画に区分する。
【００２０】
支持突起３，３…は、線５１，５２の交点９９を中心として対向する方形の二区画２２，２４内の台部２の角隅部に、夫々紐７がその上端を摺接して移動する支持突起３０を１本づつ立設させ、線５１，５２の交点９９を中心として対向する方形の他の二区画２３，２５内の四隅部に夫々支持突起３を４本づつ立設させている。
【００２１】
尚、紐７がその面上で移動する区画２２，２４上には支持突起３（３０）を１本のみ設けることが紐７の移動が容易で望ましいが、２本以上設けることとしてもよく、区画２３，２５内に設ける支持突起３は４本に限定されず、載置する古新聞等の被結束物９を支持可能な適宜の本数を設けることとしてもよい。具体的には、支持突起３を区画２３，２５内の台部２の角隅部に１本づつ、更に加えて線５１，５２の交点９９角隅部に１本づつ設ける等することが出来る。
【００２２】
支持突起３は上端部が半球状に形成された円錐状に形成している。勿論この形状に限定されず、少なくとも上端部が凸状の曲面に形成されていればよく、上端部が半球状に形成された円柱、角柱、上端部に向かって縮径する角錐状又は円形、半円形等とすることとしてもよい。支持突起３の上端部が凸状の曲面に形成されていることにより、支持突起３，３…上に載積される被結束物９との接面積が極めてせまいので、被結束物９を持ち上げることなく極めて容易に紐７を被結束物９と支持突起３０の間を摺接移動させることが可能となる。
【００２３】
更に、支持突起３は図９に示すように、円柱を縦方向に切断した部材３１で或いは円柱を横臥させて形成し、又は少なくとも上端部の縦断面を円弧状に形成したかまぼこ型に形成し、その上端部を曲面状に形成することとしてもよい。この場合紐７の円滑な摺接移動のために紐７の移動方向に対して略直角に支持突起３の円弧状の縦断面が位置するように支持突起３０を設置することが望ましい。
【００２４】
又、支持突起３，３…は、紐７がその上端を摺接して移動する支持突起３０，３０のみ上述のような上端部が凸状の曲面に形成し、紐７がその上端を摺動しない区画２３，２５内に設ける他の支持突起３，３…は上端を平面状としてもよい。更に、図８に示すように紐７がその面上で移動しない区画２３，２５内には支持突起３，３…を設けるのではなく、支持突起３０と同一高の上面平坦の厚板状の支持台８を設けることとしてもよい。この場合古新聞等の被結束物９は支持台８，８及び支持突起３，３で支持される。支持突起３及び支持台８の高さは特に限定されないが、紐７を被結束物９の下に通しやすくするために、人の手の厚み以上の高さとすることが好ましい。
【００２５】
側壁４は被結束物９が積層された際に崩れを防止し、安定した積層、整列された積層を可能とするためのものであり、紐７がその面上で移動しない台部２の区画２３，２５の外周端に、即ち結束台１の対向する一対の角隅１２から結束台１の端縁に沿って横断面略Ｌ字形状で適宜高さに立設すると共に、側壁４の直角に曲折した部分及びその周辺の角部４０を切欠いて切欠部４１を設けている。このようにして、結束台１及び側壁４，４で被結束物９を収納する収納部１４を形成している。
【００２６】
切欠部４１の形状は特に限定されず、側壁４の上端から適宜の高さを持って形成するが、側壁４の半分の高さ位置より下方まで切欠いて構成することが好ましい。このような構成とすることで、積層された被結束物９の略半分の高さ位置で紐７を被結束物９の側面周囲に廻らせることができ、バランスの取れた結束が可能となると共に、紐７の緩みの解消が容易となるからである。
【００２７】
又、紐７を被結束物９の側面周囲に廻らせるために、側壁４と被結束物９間に紐７を通すことが必要となるので、紐７の円滑な移動のために、側壁４の側端部４６を外方へ曲折して構成することが望ましい。又、同様の理由から側壁４の上端部４３も外方へ曲折して構成することが望ましい。この曲折する部分は、側壁２の側端部４６の下端から上端まで設けてもよいが、切欠部４１の下端から側壁４の上端にかけて設ける他、側壁４の上部のみに設ける構成とすることが出来る。更に、同様の理由から、図１０に示すように、側壁４の内側面４０１は横断面を凸状の曲面、例えば円弧状に形成することが好ましい。横断面を凸状の曲面に形成する部分は、側壁２の下端から上端まで設けてもよいが、切欠部４１の下端から側壁４の上端にかけて設ける他、側壁４の上部のみに設ける構成とすることが出来る。
【００２８】
又、側壁４は結束台１の少なくとも角隅部１１を除いた端縁から立設する構成、具体例としては図１０に示すように、切欠部４１を台部２に達するまで切欠き、側壁４を台部２の四辺に夫々１個づつ、且紐７がその面上で移動しない台部２の区画２３，２５の外周端に設ける構成としてもよい。
【００２９】
又、側壁４は区画２３，２５の外周辺と同幅とせずに、それ以上或いはそれ以下の適宜の幅としてもよい。図９に示すように、側壁４の溝１００と平行の一側壁４７は台部２の幅と略同幅として、側壁４から横方向へ張設した側片部４９を区画２３，２５の外周辺の長さ以上の幅とすることにより、被結束物９のより整列された積層、安定した積層が可能となる。このような構成とした場合、側壁４と被結束物９間に紐７を通すことが必要となるので、紐７の円滑な移動のために、区画２３，２５の外周辺以上の幅に形成した側片部４９の下端部に第二切欠部４２を設けると共に、該側片部４９の側端部４４を外方へ曲折して構成することが望ましい。
【００３０】
収納容器１０或いはその部材である台部２、支持突起３、側壁４及び支持台８の製造方法、材質は特に限定されず、合成樹脂を用いて一体成形してもよく、厚紙、木材、合成樹脂、軽金属等を用いて各部材を形成して接着、溶接、溶着等により組立ててもよい。台部２、支持突起３、側壁４及び支持台８の材質は同一のものでもよいが、適宜異なるものを用いてもよい。
【００３１】
又、図９に示す収納容器１０は台部２を適宜高に形成し、台部２の対向する一対の側辺の中心を結ぶように上面２１から下方へ拡幅する溝１００を設けている。溝１００は紐７を被結束物９の下に通しやすくするためのものであり、その大きさに限定はないが、人の手が挿入可能な程度とすることが好ましい。このような溝１００を設けた場合には支持突起３及び支持台８は人の手の厚み以下の高さとしてもよい。溝１００の底面１０１と台部２の下端から水平方向外側へ突出した脚部１５，１５…により収納容器１０を安定的に支持している。
【００３２】
結束台１は、支持突起３を設けるのではなく、台部２の対向する側辺の中心を結ぶ想像上の二本の線５１，５２の位置に十字形の溝を形成する等して、被結束物９の下に紐７を通す空間を設ける構成としてもよい。台部２に十字形の溝を形成する場合、該溝の上部を除いて側壁を立設すると共に、側壁の角部に切欠部４１を設ける構成としてもよい。又、結束台１は、このような溝や支持突起３等を形成せず、台部２のみで被結束物９の下に紐７を通す空間を設けない構成とすることも可能である。この場合予め紐７を収納容器１０の底部及び内側面にセットして被結束物９を収納する。この場合、側壁は結束台１の全周囲に立設すると共に側壁の角部に切欠部４１を設ける構成、或いは結束台の角隅部１１を除いた端縁から側壁４を立設する構成としてもよい。
【００３３】
次に、本発明の使用、作用について説明する。先ず収納容器１０の収納部１４に被結束物９を積層し、側壁４の上端程度まで積層された時点で積層を止め、結束作業に入る。結束作業は図２に示すように、紐７を輪状にして台部２の対向する側辺間に渡す。このように紐７を被結束物９の下に通すという極めて煩雑かつ困難な作業は１回のみ行えばよく、加えて支持突起３，３…の高さを人の甲の厚み以上としている場合、或いは溝１００を設けている場合には極めて容易に紐７を通すことが可能である。
【００３４】
次に、図２の矢印及び二点鎖線で示すように、紐７の支持突起３０に近い部位を、区画２２，２４の面上で移動させ、図２においては図示しない被結束物９と支持突起３０の間を摺接移動させ、支持突起３０を跨がせる。支持突起３０は上端部が凸状の曲面であるので、被結束物９との接面積が極めてせまいので、被結束物９を持ち上げることなく極めて容易に紐７を被結束物９と支持突起３０の間を摺接移動させることが可能である。紐７は区画２３，２５の面上では移動しない。又、紐７の輪状部分を被結束物９の上部まで引き上げる。
【００３５】
このような作業により紐７は図３に示すように、被結束物９の下で十字状になる。次に紐７の輪状でない一端を輪状部に通し、他の輪状でない端部と結ぶ。この結びは結び目６１が被結束物９の側面に、望ましくは被結束物９の高さの中間に位置するように行うことが好ましい。更に、図４に示すように、紐７を被結束物９の側面周囲に廻し、図５に示すように、締めることにより、層状の被結束物９の内部へ進入すると共に、紐７の縦方向へ伸長する部分７２を被結束物９の内部方向へ引張り、食込ませ、紐７の緩みを解消する。そして、被結束物９の側面周囲に廻した紐７の先端７７と他端７６とを結ぶ。
【００３６】
この一連の作業により、図６に示すように、被結束物９を収納容器１０から取り出すことなく、しかも紐７の緩みがなく結束することが出来る。図７に示すように、紐７の層状の被結束物９の内部へ進入した部分７３は略四角形となる。
【００３７】
尚、上記工程を一本の紐で行うのではなく、上記手順で結び目６１を設けた後、紐７を切り或いは別個の紐を用いて、該新たな紐を被結束物９の側面周囲に廻し、以下上記と同様の手順で結束作業を行うことも出来る。
【図面の簡単な説明】
【００３８】
【図１】本発明収納容器の第一の実施例斜視図
【図２】本発明収納容器の第一の実施例使用状態図
【図３】本発明収納容器の第一の実施例使用状態図
【図４】本発明収納容器の第一の実施例使用状態図
【図５】本発明収納容器の第一の実施例使用状態図
【図６】本発明収納容器の第一の実施例使用状態図
【図７】本発明収納容器を用いて結束した被結束物の上面図
【図８】本発明収納容器の第二の実施例斜視図
【図９】本発明収納容器の第三の実施例斜視図
【図１０】本発明収納容器の第四の実施例斜視図
【符号の説明】
【００３９】
１      結束台
２      台部
３      支持突起
３０    支持突起
４      側壁
４１    切欠部
４６    側端部
４９    側片部
７      紐
８      支持台
９      被結束物
１０    被結束物収納容器
１４    収納部
１００  溝
【図１】
2007161334.tif 000003
【図２】
2007161334.tif 000004
【図３】
2007161334.tif 000005
【図４】
2007161334.tif 000006
【図５】
2007161334.tif 000007
【図６】
2007161334.tif 000008
【図７】
2007161334.tif 000009
【図８】
2007161334.tif 000010
【図９】
2007161334.tif 000011
【図１０】
2007161334.tif 000012